(57)【要約】【課題】野菜に水滴や泥などが付着していても信頼性が高く、簡素な構成でコストが安く、作業効率を向上させる計量機の防水構造、防水構造を備えた組み合わせ計量機、防水構造を備えた計量機、防水構造を備えた計量機の使用方法及び防水構造を備えた組み合わせ計量機の使用方法を実現する。【解決手段】重量計測部位と、重量計測部位における測定重量データを取得し、該重量が規定重量以上であり且つ許容範囲内であることを計算する手段と、該重量が前記範囲内であることを示す指示機構を有し、作業者が前記指示に則り物品をピックアップする計量機において、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする、計量機の防水構造を備える。【選択図】図１
2018054344.tif 000002
【特許請求の範囲】
【請求項１】
重量計測部位と、
重量計測部位における測定重量データを取得し、該重量が規定重量以上であり且つ許容範囲内であることを計算する手段と、
該重量が前記範囲内であることを示す指示機構を有し、
作業者が前記指示に則り物品をピックアップする計量機において、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
計量機の防水構造。
【請求項２】
該合成樹脂薄膜は、
シリコン樹脂薄膜であることを特徴とする、
請求項１記載の計量機の防水構造。
【請求項３】
該合成樹脂薄膜の膜厚は、
０．１mm乃至０．３mmの範囲の膜厚であることを特徴とする、
請求項２記載の計量機の防水構造。
【請求項４】
該合成樹脂薄膜の膜厚は、
０．１５mm乃至０．２５mmの範囲の膜厚であることを特徴とする、
請求項３記載の計量機の防水構造。
【請求項５】
該合成樹脂薄膜の膜厚は、
０．１８mm乃至０．２２mmの範囲の膜厚であることを特徴とする、
請求項４記載の計量機の防水構造。
【請求項６】
該合成樹脂薄膜のＪＩＳーＫー６２５３により測定した硬度は、
１０乃至３０の範囲であることを特徴とする、
請求項１乃至５の何れか一に記載の計量機の防水構造。
【請求項７】
該合成樹脂薄膜のＪＩＳーＫー６２５３により測定した硬度は、
１５乃至２５の範囲であることを特徴とする、
請求項６に記載の計量機の防水構造。
【請求項８】
該合成樹脂薄膜のＪＩＳーＫー６２５３により測定した硬度は、
１８乃至２２の範囲であることを特徴とする、
請求項７に記載の計量機の防水構造。
【請求項９】
該合成樹脂薄膜は、
本体の計量皿側表面に接着剤で接着されるとともに該合成樹脂薄膜の抑え部材により固定されたことを特徴とする、
請求項１乃至８の何れか一に記載の計量機の防水構造。
【請求項１０】
該合成樹脂薄膜の抑え部材は、
複数の部材からなり、
各部材の設置位置間に空隙を有するように配置されたことを特徴とする、
請求項９に記載の計量機の防水構造。
【請求項１１】
該合成樹脂薄膜の抑え部材は、
３個の部材からなり、
各部材の設置位置間に空隙を有するように配置されたことを特徴とする、
請求項１０に記載の計量機の防水構造。
【請求項１２】
該計量皿受け部品は、
略円筒形の形状であって、
計量皿側に計量皿を設置するための穿孔が備えられており、
異形の計量皿への変更が可能であることを特徴とする、
請求項１乃至１１の何れか一に記載の計量機の防水構造。
【請求項１３】
該計量皿受け部品は、
略円筒形の形状であって、
ロードセル側に接続構造が備えられており、
メンテナンス時には着脱が可能であることを特徴とする、
請求項１乃至１１の何れか一に記載の計量機の防水構造。
【請求項１４】
該合成樹脂薄膜を本体の計量皿側表面に接着する接着剤は、
主成分が変性シリコーンポリマーであることを特徴とする、
請求項１乃至１３の何れか一に記載の計量機の防水構造。
【請求項１５】
該合成樹脂薄膜を本体の計量皿側表面に接着する接着剤は、
主成分が変性シリコーンポリマーであり、
変性シリコーンポリマーの含有率が９０％以上であることを特徴とする、
請求項１４記載の計量機の防水構造。
【請求項１６】
該計量機において、
該重量が規定範囲にあることを示す指示構造又は選択された最適組み合わせ或いは近似値の範囲に包含される重量組み合わせの重量計測部位を示す指示構造が、
灯火によるものであることを特徴とする、
請求項１乃至１５の何れか一に記載の計量機の防水構造。
【請求項１７】
該計量機において、
該指示構造の灯火は、
ＬＥＤによることを特徴とする、
請求項１６に記載の計量機の防水構造。
【請求項１８】
該計量機において、
該重量が規定範囲にあることを示す指示構造又は選択された最適組み合わせ或いは近似値の範囲に包含される重量組み合わせの重量計測部位を示す指示機構が、
音声によることを特徴とする、
請求項１乃至１５の何れか一に記載の計量機の防水構造。
【請求項１９】
該計量機において、
該重量が規定範囲にあることを示す指示構造又は選択された最適組み合わせ或いは近似値の範囲に包含される重量組み合わせの重量計測部位を示す指示機構が、
ブザー又はスピーカーであることを特徴とする、
請求項１８記載の計量機の防水構造。
【請求項２０】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えた、
防水構造を有する組み合わせ計量機。
【請求項２１】
該合成樹脂薄膜は、
シリコン樹脂薄膜であることを特徴とする、
請求項２０記載の防水構造を有する組み合わせ計量機。
【請求項２２】
該合成樹脂薄膜の膜厚は、
０．１mm乃至０．３mmの範囲の膜厚であることを特徴とする、
請求項２１記載の防水構造を有する組み合わせ計量機。
【請求項２３】
該合成樹脂薄膜の膜厚は、
０．１５mm乃至０．２５mmの範囲の膜厚であることを特徴とする、
請求項２２記載の防水構造を有する組み合わせ計量機。
【請求項２４】
該合成樹脂薄膜の膜厚は、
０．１８mm乃至０．２２mmの範囲の膜厚であることを特徴とする、
請求項２３記載の防水構造を有する組み合わせ計量機。
【請求項２５】
該合成樹脂薄膜のＪＩＳーＫー６２５３により測定した硬度は、
１０乃至３０の範囲であることを特徴とする、
請求項２０乃至２４の何れか一に記載の防水構造を有する組み合わせ計量機。
【請求項２６】
該合成樹脂薄膜のＪＩＳーＫー６２５３により測定した硬度は、
１５乃至２５の範囲であることを特徴とする、
請求項２５に記載の防水構造を有する組み合わせ計量機。
【請求項２７】
該合成樹脂薄膜のＪＩＳーＫー６２５３により測定した硬度は、
１８乃至２２の範囲であることを特徴とする、
請求項２６に記載の防水構造を有する組み合わせ計量機。
【請求項２８】
該合成樹脂薄膜は
本体の計量皿側表面に接着剤で接着されるとともに該合成樹脂薄膜の抑え部材により固定されたことを特徴とする、
請求項２０乃至２７の何れか一に記載の防水構造を有する組み合わせ計量機。
【請求項２９】
該合成樹脂薄膜の抑え部材は、
複数の部材からなり、
各部材の設置位置間に空隙を有するように配置されたことを特徴とする、
請求項２０乃至２８の何れか一に記載の防水構造を有する組み合わせ計量機。
【請求項３０】
該合成樹脂薄膜の抑え部材は、
３個の部材からなり、
各部材の設置位置間に空隙を有するように配置されたことを特徴とする、
請求項２９に記載の防水構造を有する組み合わせ計量機。
【請求項３１】
該計量皿受け部品は、
略円筒形の形状であって、
計量皿側に計量皿を設置するための穿孔が備えられており、
異形の計量皿への変更が可能であることを特徴とする、
請求項２０乃至３０の何れか一に記載の防水構造を有する組み合わせ計量機。
【請求項３２】
該計量皿受け部品は、
略円筒形の形状であって、
ロードセル側に接続構造が備えられており、
メンテナンス時には着脱が可能であることを特徴とする、
請求項２０乃至３１の何れか一に記載の防水構造を有する組み合わせ計量機。
【請求項３３】
該合成樹脂薄膜を本体の計量皿側表面に接着する接着剤は、
主成分が変性シリコーンポリマーであることを特徴とする、
請求項２０乃至３２の何れか一に記載の防水構造を有する組み合わせ計量機。
【請求項３４】
該合成樹脂薄膜を本体の計量皿側表面に接着する接着剤は、
主成分が変性シリコーンポリマーであり、
変性シリコーンポリマーの含有率が９０％以上であることを特徴とする、
請求項３３記載の防水構造を有する組み合わせ計量機。
【請求項３５】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示構造の灯火が連続点灯し、
該近似値の範囲に包含される重量組み合わせの重量計測部位を示す場合は指示機構の灯火が点滅することを特徴とする、
請求項２０乃至３４の何れか一に記載の防水構造を有する組み合わせ計量機。
【請求項３６】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項３５記載の防水構造を有する組み合わせ計量機。
【請求項３７】
該組み合わせ計量機において、
該指示機構の灯火は、
ＬＥＤによることを特徴とする、
請求項３５又は３６に記載の防水構造を有する組み合わせ計量機。
【請求項３８】
該組み合わせ計量機において、
該選択された最適組み合わせ或いは近似値の範囲に包含される重量組み合わせの重量計測部位を示す指示機構は、
音声によることを特徴とする、
請求項２０乃至３４の何れか一に記載の防水構造を有する組み合わせ計量機。
【請求項３９】
該組み合わせ計量機において、
該選択された最適組み合わせ或いは近似値の範囲に包含される重量組み合わせの重量計測部位を示す指示機構は、
ブザー又はスピーカーであることを特徴とする、
請求項２８記載の防水構造を有する組み合わせ計量機。
【請求項４０】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項３５乃至３９の何れか一に記載の防水構造を有する組み合わせ計量機。
【請求項４１】
該組み合わせ計量機において、
複数の重量計測部位はプラスチック部材で形成されることを特徴とする、
請求項２０乃至４０のうちのいずれか一に記載の防水構造を有する組み合わせ計量機。
【請求項４２】
該重量計測部位に用いる計量皿は、サイズの異なる計量皿に交換して用いる事ができることを特徴とする、
請求項２０乃至４１のうちのいずれか一に記載の防水構造を有する組み合わせ計量機。
【請求項４３】
該重量計測部位に用いる計量皿は、サイズの異なる計量皿を混在して用い、
親子計量ができることを特徴とする、
請求項４２記載の防水構造を有する組み合わせ計量機。
【請求項４４】
該重量計測部位に用いる計量皿は、形状の異なる計量皿に交換して用いる事ができることを特徴とする、
請求項２０乃至４１のうちのいずれか一に記載の防水構造を有する組み合わせ計量機。
【請求項４５】
該重量計測部位に用いる計量皿は、相対する列において計量皿の中心位置がずらして配列されてなることを特徴とする、
請求項２０乃至４４の何れか一に記載の防水構造を有する組み合わせ計量機。
【請求項４６】
該重量計測部位に用いる計量皿は、細長い形状を持ってなり、長物の被計量物に対応してなることを特徴とする、
請求項４５記載の防水構造を有する組み合わせ計量機。
【請求項４７】
該重量計測部位に用いる計量皿は細長い形状を持ってなり、
相対する列において交互に計量皿を載置しない部位を設け、
長物の被計量物に対応してなることを特徴とする、
請求項４６記載の防水構造を有する組み合わせ計量機。
【請求項４８】
重量計測部位と、
重量計測部位における測定重量データを取得し、該重量が規定重量以上であり且つ許容範囲内であることを計算する手段と、
該重量が前期範囲内であることを示す指示機構を有し、
作業者が前記指示に則り物品をピックアップする計量機において、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
防水構造を備えた計量機。
【請求項４９】
該合成樹脂薄膜は、
シリコン樹脂薄膜であることを特徴とする、
請求項４８記載の防水構造を備えた計量機。
【請求項５０】
該合成樹脂薄膜の膜厚は、
０．１mm乃至０．３mmの範囲の膜厚であることを特徴とする、
請求項４９記載の防水構造を備えた計量機。
【請求項５１】
該合成樹脂薄膜の膜厚は、
０．１５mm乃至０．２５mmの範囲の膜厚であることを特徴とする、
請求項５０記載の防水構造を備えた計量機。
【請求項５２】
該合成樹脂薄膜の膜厚は、
０．１８mm乃至０．２２mmの範囲の膜厚であることを特徴とする、
請求項５１記載の防水構造を備えた計量機。
【請求項５３】
該合成樹脂薄膜のＪＩＳーＫー６２５３により測定した硬度は、
１０乃至３０の範囲であることを特徴とする、
請求項４８乃至５２の何れか一に記載の防水構造を備えた計量機。
【請求項５４】
該合成樹脂薄膜のＪＩＳーＫー６２５３により測定した硬度は、
１５乃至２５の範囲であることを特徴とする、
請求項５３に記載の防水構造を備えた計量機。
【請求項５５】
該合成樹脂薄膜のＪＩＳーＫー６２５３により測定した硬度は、
１８乃至２２の範囲であることを特徴とする、
請求項５４に記載の防水構造を備えた計量機。
【請求項５６】
該合成樹脂薄膜は
本体の計量皿側表面に接着剤で接着されるとともに該合成樹脂薄膜の抑え部材により固定されたことを特徴とする、
請求項４８乃至５５の何れか一に記載の防水構造を備えた計量機。
【請求項５７】
該合成樹脂薄膜の抑え部材は、
複数の部材からなり、
各部材の設置位置間に空隙を有するように配置されたことを特徴とする、
請求項５６に記載の防水構造を備えた計量機。
【請求項５８】
該合成樹脂薄膜の抑え部材は、
３個の部材からなり、
各部材の設置位置間に空隙を有するように配置されたことを特徴とする、
請求項５７に記載の防水構造を備えた計量機。
【請求項５９】
該計量皿受け部品は、
略円筒形の形状であって、
計量皿側に計量皿を設置するための穿孔が備えられており、
異形の計量皿への変更が可能であることを特徴とする、
請求項４８乃至５８の何れか一に記載の防水構造を備えた計量機。
【請求項６０】
該計量皿受け部品は、
略円筒形の形状であって、
ロードセル側に接続構造が備えられており、
メンテナンス時には着脱が可能であることを特徴とする、
請求項４８乃至５９の何れか一に記載の防水構造を備えた計量機。
【請求項６１】
該合成樹脂薄膜を本体の計量皿側表面に接着する接着剤は、
主成分が変性シリコーンポリマーであることを特徴とする、
請求項４８乃至６０の何れか一に記載の防水構造を備えた計量機。
【請求項６２】
該合成樹脂薄膜を本体の計量皿側表面に接着する接着剤は、
主成分が変性シリコーンポリマーであり、
変性シリコーンポリマーの含有率が９０％以上であることを特徴とする、
請求項６１記載の防水構造を備えた計量機。
【請求項６３】
該計量機において、
該重量が規定範囲にあることを示す指示機構が、
灯火によるものであることを特徴とする、
請求項４８乃至６２の何れか一に記載の防水構造を備えた計量機。
【請求項６４】
該計量機において、
該指示機構の灯火は、
ＬＥＤによることを特徴とする、
請求項６３に記載の防水構造を備えた計量機。
【請求項６５】
該計量機において、
該重量が規定範囲にあることを示す指示機構が、
音声によることを特徴とする、
請求項４８乃至６４の何れか一に記載の防水構造を備えた計量機。
【請求項６６】
該計量機において、
該重量が規定範囲にあることを示す指示機構が灯火によるものであることを特徴とする、
ブザー又はスピーカーであることを特徴とする、
請求項６５記載の防水構造を備えた計量機。
【請求項６７】
請求項１９乃至４８に記載の防水構造を有する組み合わせ計量機の使用方法であって、
計量対象に水滴の付着した野菜類、水滴の付着した葉菜類、水滴の付着した根菜類、水滴の付着した果物類、水滴の付着した食品類、泥や土の付着した野菜類、泥や土の付着した葉菜類、泥や土の付着した根菜類、泥や土の付着した果物類、泥や土の付着した食品類、水分含有量の多い食品類或いは軟弱な食品類を含み、
備えられた防水構造により水分及び／又は汚染物の測定部への侵入を防止し、
安定した計測を実現することを特徴とする、
組み合わせ計量機の使用方法。
【請求項６８】
請求項４９乃至６６に記載の防水構造を有する計量機の使用方法であって、
計量対象に水滴の付着した野菜類、水滴の付着した葉菜類、水滴の付着した根菜類、水滴の付着した果物類、水滴の付着した食品類、泥や土の付着した野菜類、泥や土の付着した葉菜類、泥や土の付着した根菜類、泥や土の付着した果物類、泥や土の付着した食品類、水分含有量の多い食品類或いは軟弱な食品類を含み、
備えられた防水構造により水分及び／又は汚染物の測定部への侵入を防止し、
安定した計測を実現することを特徴とする、
計量機の使用方法。
【発明の詳細な説明】
【技術分野】
【０００１】
本発明は、野菜等を規定の重量以上且つ最小となるような単体及び／又は組み合わせを秤量するための計量機の防水構造、防水構造を備えた組み合わせ計量機、防水構造を備えた計量機、防水構造を備えた計量機の使用方法及び防水構造を備えた組み合わせ計量機の使用方法に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
そこで、量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による秤量選別が行われているのが実情である。また、単体の計量機或いは組み合わせ計量機を問わず、計量対象に水滴の付着した野菜類、泥や土の付着した野菜類、水分含有量の多い食品類或いは軟弱な食品類に対応して、防水構造により水分及び／又は汚染物の測定部への侵入を防止し、安定した計測を行えるものは非常に高価な装置であり、、個別の農家や小規模の出荷組合等に於いては導入が難しかった。
【先行技術文献】
【特許文献】
【０００６】
【特許文献１】特開２０１２ー１７３０３５号公報
【特許文献２】特開２０１１ー１４９７３０号公報
【特許文献３】特開２００７ー１０７９０９号公報
【特許文献４】特開２００３ー１２１２５２号公報
【特許文献５】特開平０８ー２０１１５６号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。また、個別の農家や小規模の出荷組合等では頻繁な対象商品の切り替えが必要でその段取り変更は自動機では却って煩雑となる。
【０００８】
これらの課題を解決するため、簡素な構成でコストが安く、各種の野菜等の商品に簡単な段取り変更で対応可能であるとともに、効率の良い作業が可能な組み合わせ計量機を実現することが急務となっている。
【０００９】
また、野菜等の秤量に際しては、収穫時の天候等によっては野菜に水滴や泥などが付着していることがあり、さらに必要に応じて水洗を行って出荷する場合は洗浄水が残留している可能性は高く、これらが本体内に侵入して誤動作や故障の原因となることがあり、対策が求められていた。
【課題を解決するための手段】
【００１０】
本発明は、重量計測部位と、重量計測部位における測定重量データを取得し、該重量が規定重量以上であり且つ許容範囲内であることを計算する手段と、該重量が前記範囲内であることを示す指示機構を有し、作業者が前記指示に則り物品をピックアップする計量機において、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする、計量機の防水構造である。
【００１１】
また本発明は、該合成樹脂薄膜が、シリコン樹脂薄膜であることを特徴とする。
【００１２】
また本発明は、該合成樹脂薄膜が、０．１mm乃至０．３mmの範囲の膜厚であることを特徴とする。さらに、該合成樹脂薄膜が０．１５mm乃至０．２５mmの範囲の膜厚であることが望ましく、０．１８mm乃至０．２２mmの範囲の膜厚であることがより望ましい。
【００１３】
また本発明は、該合成樹脂薄膜のＪＩＳーＫー６２５３により測定した硬度が、１０乃至３０の範囲であることを特徴とする。さらに、該合成樹脂薄膜のＪＩＳーＫー６２５３により測定した硬度が１５乃至２５の範囲であることが望ましく、１８乃至２２の範囲であることがより望ましい。
【００１４】
また本発明は、該合成樹脂薄膜が、本体の計量皿側表面に接着剤で接着されるとともに該合成樹脂薄膜の抑え部材により固定されたことを特徴とする。
【００１５】
また本発明は、該合成樹脂薄膜の抑え部材が複数の部材からなり、各部材の設置位置間に空隙を有するように配置されたことを特徴とし、さらに、該合成樹脂薄膜の抑え部材が３個の部材からなり、各部材の設置位置間に空隙を有するように配置されることが望ましい。
【００１６】
また本発明は、該計量皿受け部品が、略円筒形の形状であって、計量皿側に計量皿を設置するための穿孔が備えられており、異形の計量皿への変更が可能であることを特徴とする。また、該計量皿受け部品が、略円筒形の形状であって、ロードセル側に接続構造が備えられており、メンテナンス時には着脱が可能であることを特徴とする。
【００１７】
また本発明は、該合成樹脂薄膜を本体の計量皿側表面に接着する接着剤が、主成分が変性シリコーンポリマーであることを特徴とする。さらに、変性シリコーンポリマーの含有率が９０％以上であることを特徴とする。
【００１８】
また本発明は、該計量機において、該重量が規定範囲にあることを示す指示構造又は選択された最適組み合わせ或いは近似値の範囲に包含される重量組み合わせの重量計測部位を示す指示構造が灯火によるものであることを特徴とし、さらに、該指示構造の灯火は、ＬＥＤによることを特徴とする。
【００１９】
また本発明は、該計量機において、該重量が規定範囲にあることを示す指示構造又は選択された最適組み合わせ或いは近似値の範囲に包含される重量組み合わせの重量計測部位を示す指示構造が、音声によることを特徴と、さらに、重量計測部位を示す指示構造がブザー又はスピーカーであることを特徴とする。
【００２０】
また本発明は、かかる防水構造を備えた、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする防水構造を有する組み合わせ計量機である。
【００２１】
また本発明は、かかる防水構造を備えた単体の計量機である。
【００２２】
また本発明は、かかる防水構造を備えた組み合わせ計量機又は計量機の使用法であって、計量対象に水滴の付着した野菜類、水滴の付着した葉菜類、水滴の付着した根菜類、水滴の付着した果物類、水滴の付着した食品類、泥や土の付着した野菜類、泥や土の付着した葉菜類、泥や土の付着した根菜類、泥や土の付着した果物類、泥や土の付着した食品類、水分含有量の多い食品類或いは軟弱な食品類を含み、備えられた防水構造により水分及び／又は汚染物の測定部への侵入を防止し、安定した計測を実現することを特徴とする、計量機の使用方法であり組み合わせ計量機の使用方法である。
【発明の効果】
【００２３】
本発明に係る計量機の防水構造、防水構造を備えた組み合わせ計量機、防水構造を備えた計量機、防水構造を備えた計量機の使用方法及び防水構造を備えた組み合わせ計量機の使用方法は、簡素な構成で安価に防水機能を実現することにより計量機の用途を拡大することを可能とし、作業効率を向上させるとともに信頼性を向上せしめ、もって社会に資することが出来る。
【図面の簡単な説明】
【００２４】
【図１】図１は、本発明に係る組み合わせ計量機の防水構造を説明するための図面代用写真である。
【図２】図２は、本発明に係る組み合わせ計量機の防水構造の、ロードセル側の接続構造を説明するための図面代用写真である。
【図３】図３は、本が発明に係る防水構造を備えた計量機の一例を示す図面代用写真である。
【図４】図４は、本発明に係る防水構造を備えた組み合わせ計量機の形態を示す概念図である。
【発明を実施するための形態】
【００２５】
本発明は、重量計測部位と、重量計測部位における測定重量データを取得し、該重量が規定重量以上であり且つ許容範囲内であることを計算する手段と、該重量が前記範囲内であることを示す指示機構を有し、作業者が前記指示に則り物品をピックアップする計量機において、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする、計量機の防水構造である。
【００２６】
また本発明は、該合成樹脂薄膜が、シリコン樹脂薄膜であることを特徴とする。
【００２７】
また本発明は、該合成樹脂薄膜が、０．１mm乃至０．３mmの範囲の膜厚であることを特徴とする。さらに、該合成樹脂薄膜が０．１５mm乃至０．２５mmの範囲の膜厚であることが望ましく、０．１８mm乃至０．２２mmの範囲の膜厚であることがより望ましい。
【００２８】
また本発明は、該合成樹脂薄膜のＪＩＳーＫー６２５３により測定した硬度が、１０乃至３０の範囲であることを特徴とする。さらに、該合成樹脂薄膜のＪＩＳーＫー６２５３により測定した硬度が１５乃至２５の範囲であることが望ましく、１８乃至２２の範囲であることがより望ましい。
【００２９】
また本発明は、該合成樹脂薄膜が、本体の計量皿側表面に接着剤で接着されるとともに該合成樹脂薄膜の抑え部材により固定されたことを特徴とする。
【００３０】
また本発明は、該合成樹脂薄膜の抑え部材が複数の部材からなり、各部材の設置位置間に空隙を有するように配置されたことを特徴とし、さらに、該合成樹脂薄膜の抑え部材が３個の部材からなり、各部材の設置位置間に空隙を有するように配置されることが望ましい。
【００３１】
また本発明は、該計量皿受け部品が、略円筒形の形状であって、計量皿側に計量皿を設置するための穿孔が備えられており、異形の計量皿への変更が可能であることを特徴とする。また、該計量皿受け部品が、略円筒形の形状であって、ロードセル側に接続構造が備えられており、メンテナンス時には着脱が可能であることを特徴とする。
【００３２】
また本発明は、該合成樹脂薄膜を本体の計量皿側表面に接着する接着剤が、主成分が変性シリコーンポリマーであることを特徴とする。さらに、変性シリコーンポリマーの含有率が９０％以上であることを特徴とする。
【００３３】
また本発明は、該計量機において、該重量が規定範囲にあることを示す指示構造又は選択された最適組み合わせ或いは近似値の範囲に包含される重量組み合わせの重量計測部位を示す指示構造が灯火によるものであることを特徴とし、さらに、該指示構造の灯火は、ＬＥＤによることを特徴とする。
【００３４】
また本発明は、該計量機において、該重量が規定範囲にあることを示す指示構造又は選択された最適組み合わせ或いは近似値の範囲に包含される重量組み合わせの重量計測部位を示す指示構造が、音声によることを特徴と、さらに、重量計測部位を示す指示構造がブザー又はスピーカーであることを特徴とする。
【００３５】
また本発明は、かかる防水構造を備えた、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする防水構造を有する組み合わせ計量機である。
【００３６】
また本発明は、かかる防水構造を備えた単体の計量機である。
【００３７】
また本発明は、かかる防水構造を備えた組み合わせ計量機又は計量機の使用法であって、計量対象に水滴の付着した野菜類、水滴の付着した葉菜類、水滴の付着した根菜類、水滴の付着した果物類、水滴の付着した食品類、泥や土の付着した野菜類、泥や土の付着した葉菜類、泥や土の付着した根菜類、泥や土の付着した果物類、泥や土の付着した食品類、水分含有量の多い食品類或いは軟弱な食品類を含み、備えられた防水構造により水分及び／又は汚染物の測定部への侵入を防止し、安定した計測を実現することを特徴とする、計量機の使用方法であり組み合わせ計量機の使用方法である。
【００３８】
本発明に係る計量機の防水構造、防水構造を備えた組み合わせ計量機、防水構造を備えた計量機、防水構造を備えた計量機の使用方法及び防水構造を備えた組み合わせ計量機の使用方法は、簡素な構成で安価に防水機能を実現することにより計量機の用途を拡大しことを可能とし、作業効率を向上させるとともに信頼性を向上させることが出来た。
【実施例１】
【００３９】
図１は、本発明に係る組み合わせ計量機の防水構造を説明するための図面代用写真である。図１は計量皿部とロードセルによる計量部を含む本体部の連結部の写真であり、中央部に円筒状に見えているのが合成樹脂製の計量皿受け部品１である。計量皿受け部品１は、合成樹脂薄膜２を挟み込むように構成されており、合成樹脂薄膜は本体の計量皿側表面に接着剤で接着固定されている。
【００４０】
合成樹脂薄膜２としては、シリコン樹脂薄膜を用いることが望ましい。本実施例では、合成樹脂薄膜２の膜厚は０．２mmのものを用いた。ここで、合成樹脂薄膜２の材質、膜厚及び硬度は、本発明にかかる防水構造に於いて機能を実現するために非常に重要である。合成樹脂薄膜２は計量皿部とロードセルによる計量部を含む本体部を連結し、且つ、防水機能を発揮するのであるが、かかる合成樹脂薄膜に連接される計量皿受け部品１は計量皿とロードセルを繋ぐ部品であって、重量測定時に計量皿に載置された物品の重量が妨害なくロードセルに伝達されなければ正確な計量が出来ない。ここで、合成樹脂薄膜２の材質、膜厚及び硬度の設定によっては重量測定時に計量皿に物品を載置した際に計量皿受け部品１に生じる変位に影響を与え、測定に誤差を生じる原因となるからである。
【００４１】
そこで、計量皿に物品を載置した際に計量皿受け部品１に生じる変位に影響を与えない範囲で、しかも防水機能を維持するように合成樹脂薄膜２の材質、膜厚及び硬度の設定を行った。本実施例では、合成樹脂薄膜２の膜厚は０．２mmとしたが、計測に誤差が生じないようにするためには０．１mm乃至０．３mmの範囲の膜厚であることが望ましく、さらに、合成樹脂薄膜が０．１５mm乃至０．２５mmの範囲の膜厚であることが望ましく、０．１８mm乃至０．２２mmの範囲の膜厚であることがより望ましい。
【００４２】
合成樹脂薄膜のＪＩＳーＫー６２５３により測定した硬度は、本実施例では２０に設定したが、計測に誤差が生じないようにするためには１０乃至３０の範囲であることが望ましく、さらに、１５乃至２５の範囲であることが望ましく、１８乃至２２の範囲であることがより望ましい。
【００４３】
合成樹脂薄膜２の固定は接着剤による接着のみでも十分に機能を発揮することができるが、本実施例に於いては合成樹脂薄膜が、本体の計量皿側表面に接着剤で接着されるとともに合成樹脂薄膜の抑え部材３により固定されるようにした。ここで、合成樹脂薄膜の抑え部材が複数の部材からなり、各部材の設置位置間に空隙を有するように配置することも有効である。これは、かかる空隙が水の抜け道となり、合成樹脂薄膜上に水が溜まって測定誤差の原因となることを防止できるからである。本実施例に於いては抑え部材が３個の部材からなるように構成した。
【００４４】
計量皿受け部品１は略円筒形の形状であって、計量皿側に計量皿を設置するための穿孔４が備えられており、異形の計量皿への変更が可能なようにした。
【００４５】
図２は、本発明に係る組み合わせ計量機の防水構造の、ロードセル側の接続構造を説明するための図面代用写真である。量皿受け部品１に備えられたロードセル側の接続構造５によってロードセルと接続され、正確な計測が可能になる。また、メンテナンス時にはこの部分から着脱が可能であり、非常にメンテナンス性が良い構成となっている。
【００４６】
合成樹脂薄膜を本体の計量皿側表面に接着する接着剤としては、主成分が変性シリコーンポリマーである接着剤を用いた。さらに、変性シリコーンポリマーの含有率が９０％以上であるものを用いることが望ましい。これにより、合成樹脂薄膜２の固定及び防水が十分に保たれる。
【００４７】
図３は、本が発明に係る防水構造を備えた計量機の一例を示す図面代用写真である。本実施例に於いては計量皿はシュート型となっている。防水構造の接続部は写真からは見て取れないが、計量皿の下部に前記の防水構造を備えた。
【実施例２】
【００４８】
図４は、本発明に係る防水構造を備えた組み合わせ計量機の形態を示す概念図である。本実施例に於いては、本発明に係る防水構造を組み合わせ計量機に応用した。図中の記号Ｍが振られている部分がそれぞれの計量皿であり、ここに秤量対象の野菜などを載置し、規定の重量以上且つ最小となる組み合わせを秤量、表示し、その表示に従って作業者がピックアップして袋詰め等の梱包を行う。また、規定重量範囲内の最適組み合わせが存在しない場合であって近似値の範囲に包含される重量組み合わせが存在する場合に該指示機構が最適組み合わせの場合とは異なる指示を発報する機構を備え、且つ、規定重量範囲内の最適組み合わせが存在しない場合であって近似値の範囲に包含される重量組み合わせに係る組み合わせ重量を表示する表示機構を備え、作業者の判断により規定重量の範囲を超えた組み合わせであってもこれらの物品をピックアップする判断を行い、該組み合わせでのピックアップして袋詰め等の梱包を行う。
【００４９】
本実施例においては、該選択された最適組み合わせの重量計測部位を示す指示機構のうちの灯火は、着色灯火とし、具体的にはＬＥＤによるものとした。
【００５０】
ここで、、該選択された最適組み合わせの重量計測部位を示す指示機構のうちの音声による指示機構は、夫々の指示灯火に隣接して夫々スピーカーを配することができ、また、発音するものであればスピーカーに代えてブザー等を適宜選択することが出来る。
【００５１】
本実施例においては、該指示機構としては着色のＬＥＤ灯火を用い、最適組み合わせが存在する場合はこの灯火が連続点灯して作業者が組み合わせでピックアップを行うようにした。また、規定重量範囲内の最適組み合わせが存在しない場合であって近似値の範囲に包含される重量組み合わせが存在する場合にはＬＥＤ灯火が点滅してかかる状態を示し、さらに規定重量範囲内の最適組み合わせが存在しない場合であって近似値の範囲に包含される重量組み合わせに係る組み合わせ重量を表示するデジタル表示装置を備え、この数値を作業者が確認して重量オーバーの許容範囲にある場合はこれをピックアップし、オーバー量が過大でコストアップに繋がり不経済であると判断される場合には幾つかの皿に載せ替えを行って再トライする選択を行うことが出来る。
【００５２】
ここで、該指示機構としての着色のＬＥＤ灯火に関しては、点灯と点滅により発報することに限定されず、ＬＥＤ灯火の点灯色の差異により発報することも有効である。また、音声により発報することも出来る。
【００５３】
ここで本発明は、かかる防水構造を備えた組み合わせ計量機又は計量機の使用法であって、計量対象に水滴の付着した野菜類、水滴の付着した葉菜類、水滴の付着した根菜類、水滴の付着した果物類、水滴の付着した食品類、泥や土の付着した野菜類、泥や土の付着した葉菜類、泥や土の付着した根菜類、泥や土の付着した果物類、泥や土の付着した食品類、水分含有量の多い食品類或いは軟弱な食品類を含み、備えられた防水構造により水分及び／又は汚染物の測定部への侵入を防止し、安定した計測を実現することを特徴とする、計量機の使用方法であり組み合わせ計量機の使用方法を含む。
【００５４】
本発明に係る防水構造を備えた組み合わせ計量機又は計量機は、簡便な構成であるためコストの上昇がなく安価であり、計量機の用途を拡大することを可能とし、作業効率を向上させるとともに信頼性を向上せしめることが出来た。
【００５５】
野菜等の秤量に際しては、収穫時の天候等によっては野菜に水滴や泥などが付着していることがあり、さらに必要に応じて水洗を行って出荷する場合は洗浄水が残留している可能性は高く、これらが本体内に侵入して誤動作や故障の原因となることがあったが、本発明に係る計量機の防水構造、防水構造を備えた組み合わせ計量機、防水構造を備えた計量機、防水構造を備えた計量機の使用方法及び防水構造を備えた組み合わせ計量機の使用方法によってこれを解決し、さらに個別の農家や小規模の出荷組合等に於いても導入可能となり、作業効率の向上と農家所得の増大に与って効果のあるものとなった。
【産業上の利用可能性】
【００５６】
本発明に係る計量機の防水構造、防水構造を備えた組み合わせ計量機、防水構造を備えた計量機、防水構造を備えた計量機の使用方法及び防水構造を備えた組み合わせ計量機の使用方法は、簡素な構成で安価に防水機能を実現することにより計量機の用途を拡大することを可能とし、作業効率を向上させるとともに信頼性を向上せしめ、個別の農家や小規模の出荷組合等に於いても導入可能となり、作業効率の向上と農家所得の増大に有効であり、産業上の利用可能性は大である。
【符号の説明】
【００５７】
１    合成樹脂製の計量皿受け部品
２    合成樹脂薄膜
３    合成樹脂薄膜の抑え部材
４    計量皿側に計量皿を設置するための穿孔
５    ロードセル側の接続構造
【図１】
2018054344.tif 000003
【図２】
2018054344.tif 000004
【図３】
2018054344.tif 000005
【図４】
2018054344.tif 000006